(57)【要約】【課題】  本発明が解決しようとする問題点は、環状管の内径空間や外径四隅空間を無駄スペースとすることなく、蛍光管を密にしかも安定状態で保管・運送できる通い箱形式の回収箱を提供することにある。【解決手段】    本発明の廃蛍光管回収箱は、四辺の長さ寸法が大型の環状管の外径寸法相当で、高さ寸法が直管の規格長さ相当の箱体であって、該箱内四隅に大型の環状管の外径と接する仕切り板を配置して隅スペースを直管収納部とし、中央部には小型の環状管内径に接する中空の柱を配置して中空スペースを直管収納部とし、箱内面と前記仕切り板に内接するように大型の環状管を、該大型の環状管内スペースであって前記柱に外接するように小型の環状管を収納する。【選択図】    図１
2005075555.tif 000002
【特許請求の範囲】
【請求項１】
四辺の長さ寸法が環状管の外径寸法相当で、高さ寸法が直管の規格長さ相当の箱体であって、該箱内四隅に環状管の外径と接する仕切り板を配置して隅スペースを直管収納部とし、中央部には環状管内径に接する中空の柱を配置して中空スペースを直管収納部とし、箱内面と前記仕切り板に内接するように、前記正四角柱に外接するように環状管を収納することを特徴とする廃蛍光管回収箱。
【請求項２】
四辺の長さ寸法が大型の環状管の外径寸法相当で、高さ寸法が直管の規格長さ相当の箱体であって、該箱内四隅に大型の環状管の外径と接する仕切り板を配置して隅スペースを直管収納部とし、中央部には小型の環状管内径に接する中空の柱を配置して中空スペースを直管収納部とし、箱内面と前記仕切り板に内接するように大型の環状管を、該大型の環状管内スペースであって前記正四角柱に外接するように小型の環状管を収納することを特徴とする廃蛍光管回収箱。
【請求項３】
対向辺間の寸法が大型の環状管の外径寸法相当である正八角形の底板の中央部に、中空の柱として正四角柱を配置して一体化し、該正四角柱を引き上げることにより収納された環状管が箱体から一括して取り出せることを特徴とする請求項１又は２に記載の廃蛍光管回収箱。
【請求項４】
対向する１対の仕切り板が正八角形の底板に折り曲げ可能な形態で一体的に結合され、上方部に手掛け部が形成されている請求項３に記載の廃蛍光管回収箱。
【請求項５】
箱体と仕切り板及び正八角形の底板とその中央部に配置された中空の正四角柱は、ポリプロピレン等の中空プラスチックシートを材料としたものであって、前記箱体は空の時にはコーナー部材を取り外して折り畳むことができる通い箱形態である請求項１乃至４のいずれかに記載の廃蛍光管回収箱。
【発明の詳細な説明】
【技術分野】
【０００１】
本発明は使用済みの蛍光灯の管を回収して再処理工場に運搬するために用いられる回収箱に関する。
【背景技術】
【０００２】
従来は一般ゴミとして廃棄されていた家庭やオフィスなどで使い古された蛍光管も、最近では回収して再資源化するようになってきた。それは蛍光管には有害物質である水銀が封入されており、破損するとその水銀が付近に飛び散って土壌汚染など環境問題を引き起こす原因ともなっているためである。そのリサイクルフローは蛍光管の部品材料を分解分離してそれぞれを再資源化しようというものである。例えば直管型の蛍光灯における処理は、まず両端部の端子と電極部を構成している金属部分をバーナーで焼き切って分離する。この金属部分はアルニウムなどの金属を分離して１）金属材料として再利用する。両端部が解放されたガラス管部分の一方側にノズルを差し込んでエアーを吹き付け、他端側から蛍光粉末と水銀を吹き出させ集塵機で回収する。ガラス管は粉砕され、酸で洗浄されてソーダガラスカレットとなる。これをパウダー化して２）軽量骨材、タイル、家具材の素材としてリサイクルに回される。集塵機で集められた水銀を含む蛍光体の粉は真空加熱装置と凝縮器によって水銀成分を分離抽出し、この抽出された水銀は３）水銀としてリサイクルされる。そして、残った蛍光体の粉などは４）覆土材としてリサイクルに回される。このように使用済みの蛍光管は４つの素材として分離分解される。
【０００３】
このように蛍光管を処理する作業場は一般に人里離れた辺鄙な場所に作られているため、大量の使用済み蛍光管が出される都会や人里で回収してまとめて保管し、そこから破損しない状態で遠隔地に輸送する必要がある。このような必要に応えて、特許文献１にはこの蛍光管を含めた「折り畳み可能な空き缶等資源回収用箱体」が提示されている。これは空き缶、ペットボトル、トレー、牛乳パック、蛍光灯、産業廃棄物等の回収用として開発されたもので、上面が開口した軟質な方形の本体より成る資源回収用箱体において、その袋体の材料は、軟質の透水性シートから構成され、本体の上縁四辺に夫々個別に芯材が設けられると共に、該本体の四隅に支柱が設けられ、箱体の隅部近傍又は側面に少なくとも１ヶ所ファスナー部を設けて成ることを特徴とする資源回収用箱体である。
【０００４】
現在は蛍光管専用の回収用に同じ規格の直管は直管だけ、環状管は環状管だけ専用のリサイクルボックスが作られ、所定数の数が詰められた状態で保管・運搬がなされている。このリサイクルボックスは段ボールで作られたものもあるが、繰り返し使用が可能なプラスチック中空シートで作られたものが各自治体で多く用いられはじめている。これらは所謂通い箱形式で蛍光管を収納した状態では箱であるが、空の状態では固定具が外され、折り畳まれコンパクトな形態となって返送されるものである。直管収納用の箱は図７に示されるように規格に対応した長さの箱を作り蛍光管を所定本数詰めると図のＣ，Ｄのように隙間も少なく安定して収納されるが、図９に示すように環状管を箱に詰めようとすると環状管の内径部と外径四隅に無駄空間ができてしまう。しかも、破損防止のため環状管と環状管の間には図のＡ，Ｃから分かるように仕切り板を配置する必要があり、構造が複雑で空状態時の折り畳みも厄介でスペースもコンパクトにならないといった問題があった。因みに図７に示したものは直管用の縦置きタイプのものであり、Ａは箱体の外観斜視図、Ｂは空の箱の蓋を開けた上方からの斜視図、Ｃは所定数蛍光管を詰めた状態を上方から見た図、そしてＤは蓋を開けた状態の斜視図である。図８に示したものは直管用の横置きタイプのものであり、Ａは蓋を開けた空の箱の斜視図、Ｂは分解図で空の状態で返送時にはこの形態にされる。Ｃは蓋をした状態の外観斜視図である。また、図９に示したものは環状管用のものであって、Ａは蓋を開けた状態の斜視図、Ｂは蓋を閉めた状態の外観斜視図、そしてＣは環状蛍光管を仕切板の間に収納した状態を示す斜視図である。
【特許文献１】特開２００１−８８９０１号公報  「折り畳み可能な空き缶等資源回収用箱体」  平成１３年４月３日公開
【発明の開示】
【発明が解決しようとする課題】
【０００５】
本発明が解決しようとする問題点は、環状管の内径空間や外径四隅空間を無駄スペースとすることなく、蛍光管を密にしかも安定状態で保管・運送できる通い箱形式の回収箱を提供することにある。
【課題を解決するための手段】
【０００６】
本発明の廃蛍光管回収箱は、四辺の長さ寸法が大型の環状管の外径寸法相当で、高さ寸法が直管の規格長さ相当の箱体であって、該箱内四隅に大型の環状管の外径と接する仕切り板を配置して隅スペースを直管収納部とし、中央部には小型の環状管内径に接する中空の柱を配置して中空スペースを直管収納部とし、箱内面と前記仕切り板に内接するように大型の環状管を、該大型の環状管内スペースであって前記柱に外接するように小型の環状管を収納する。ここで「四辺の長さ寸法が大型の環状管の外径寸法相当」というように寸法相当という表現を用いたのは、箱体や仕切板そして四角柱には厚さ寸法があり、内接の場合には内部側の寸法となり、外接の場合は外側の寸法となること、また、シートを重ねて使うこともあること、更に素材が弾性であることに伴う許容範囲等を勘案して設計値が決められることを意味している。
本発明の廃蛍光管回収箱は、収納された環状管が箱体から一括して取り出せるように対向辺間の寸法が大型の環状管の外径寸法相当である正八角形の底板の中央部に、中空柱として正四角柱を配置して一体化した。更に取り出しやすくするため、対向する１対の仕切り板が正八角形の底板に折り曲げ可能な形態で一体的に結合され、上方部に手掛け部を形成するようにした。
また、本発明の廃蛍光管回収箱は、箱体と仕切り板及び正八角形の底板とその中央部に配置された中空の正四角柱は、ポリプロピレン等の中空プラスチックシートを材料としたものとし、前記箱体は空の時にはコーナー部材を取り外して折り畳むことができる通い箱形態とした。
【発明の効果】
【０００７】
請求項１に記載の本発明の廃蛍光管回収箱は、１つの箱で直管と大型の環状管と小型の環状管という異なる種類の蛍光管を収納することができ、しかも環状管の構造上外側／内側にできるスペースを直管収納部として有効利用でき、大型の環状管は箱内面と前記仕切り板に内接するように収納し、小型の環状管は中空の柱に外接するように収納することによって、大小の環状管は同心位置に非接触状態で安定して保持されるため、運搬中に両管がぶつかり合って破損することもなく遠隔地まで安全に移送することができる。
請求項２に記載の本発明の廃蛍光管回収箱は、対向辺間の寸法が大型の環状管の外径寸法相当である正八角形の底板の中央部に、中空の柱として正四角柱を配置して一体化した構成を採ったものであるから、該正四角柱を引き上げることにより収納された環状管を無理なく安定した状態を保って箱体から一括して取り出すことができる。直管と環状管とは処理が異なるが、一括で分別できるため次の作業へ効率的に進むことができる。
請求項３に記載の本発明の廃蛍光管回収箱は、対向する１対の仕切り板が正八角形の底板に折り曲げ可能な形態で一体的に結合され、上方部に手掛け部が形成されているので、手掛け部に手をかけて収納された環状管を容易に箱体から取り出すことができる。
請求項４に記載の本発明の廃蛍光管回収箱は、箱体と仕切り板及び正八角形の底板とその中央部に配置された中空の正四角柱は、ポリプロピレン等の中空プラスチックシートを材料としたものであるから、必要な機械的強度を持ちながら軽量であり、繰り返し使用に耐え、前記箱体は空の時にはコーナー部材を取り外して折り畳むことができるので、帰りの運搬に際しても無駄スペースがない。
【発明を実施するための最良の形態】
【０００８】
図１を参照しながら本発明の蛍光缶回収箱を詳細に説明する。Ａは箱体を蓋をした状態で斜め上方から観察した斜視図であり、箱体１も蓋体２もポリプロピレン等のプラスチック中空シートで構成される。内部構造はＢに斜視図で示されるように四隅コーナー部分に仕切板３が配置され、断面が正方形の箱体１の内部には断面正八角形の空間が形成される。更にその空間の中央部には断面が正方形の中空四角柱４が配置される。この構造において、断面が直角二等辺三角形である四隅の空間部と中央の正方形の中空四角柱４の内部空間には直管の蛍光灯が収納され、断面が正八角形の空間において前記正四角柱４の外側となる空間に環状の蛍光管が収納される。そのため、この箱体１の内側高さ寸法は直管の規格長さの値に合わせて設計される。正八角形の空間には環状管が収納されるため、対向する壁間の距離は環状管の外径寸法に合わせて設計され、正四角柱４の外側には環状管が収納されるため、正四角柱の対角線外径寸法は環状管の内径寸法に合わせて設計される。好ましい実施の態様では環状管は径の大きな管の内側に径の小さな管が入子状に収納される形態を採るようにするため、対向する壁間の距離は大型環状管の外径寸法に合わせて設計され、正四角柱の対角線外径寸法は大型環状管の内径寸法より小さい外径寸法の小型環状管の内径寸法に合わせて設計される。このように寸法が採られた廃蛍光管回収箱には図２に示されるように断面が直角二等辺三角形である四隅の空間部と中央の正方形の中空四角柱４の内部空間には直管の蛍光灯が収納され、断面が正八角形の空間において正四角柱４の外側となる空間に環状の蛍光管が、無駄空間が少なく安定した状態で収納される。特に入子状に収納されている大型環状管の内径部と小型環状管の外径部とは近接しつつも非接触であり、破損する危険がない。すなわち、対向する箱体１内面と仕切板３によって大型環状管の外径部が内接され、正四角柱４の角部によって小型環状管の内径部が外接状態で支承されるため、同心位置に位置決めされるためである。また、図示の例では中央部分に正四角柱を配置したが、これに換え、環状管内径寸法に合わせた外径寸法の円柱を配置するようにしてもよい。この構成を採用するとデススペースを減らし直管の収納数を増すことができるメリットがある。ただし、プラスチック中空シートを巻き込んで小径の円柱構造とすること、また、空となって返送される時この円柱を扁平に畳むことが厄介であるという問題を伴う。
【０００９】
本発明の蛍光缶回収箱の長所の一つは底が深い箱に重なって収納されている環状管を容易に安定した形態で取り出すことができるように工夫がなされている点である。その構成は図１のＤから判るように正八角形の底板５が用いられ、その底板５の中央部には正四角柱４が一体的に立てられると共に、対向する１対の仕切板3a，3cが折り曲げ自在の形態でこの底板５に一体的に形成されている。他の対向する１対の仕切板3b，3dの方は図１のＣに図示されているように箱体１側に取り付けられた形態が採られている。組立状態では図１のＢに示されるように一体構造の底板５、正四角柱４、仕切板3a，3cは箱体１の内側に収容されており、環状管は断面が正八角形の空間と正四角柱４の外側との空間に順次重ねられて収納される。この環状管を箱体１から取り出すには図の３に示すように、一体構造の底板５、正四角柱４、仕切板3a，3cを引き上げるのであるが、この動作をやり易くするため、好ましくは１対の仕切板3a，3cの上部に手掛け穴を設けておくとよい。ここに手をかけ、引き上げると、小型の環状管は正四角柱４に外接状態のままであるから、安定状態であり、大型の環状管の方は仕切板3a，3cに挟まれた状態で引き上げられるため、これも安定状態が保たれる。箱から外に取り出されたなら、底板５を床やテーブル等の広いスペースに運んでから図１のＤに図示されるように仕切板3a，3cを開くようにすれば大型の環状管は拘束を解かれるが小型環状管に嵌った形で多重に積まれた状態となって箱から取り出すことができる。直管と環状管はその処理方法が異なるため、このようにして環状管がまずその処理ラインで出され、次に直管のみが残った箱体１を直管処理ラインに運んで取り出せばよい。
【実施例１】
【００１０】
次に直管２０Ｗ、大型環状管４０Ｗそして小型環状管３２Ｗの３種類の蛍光管を収納する本発明の廃蛍光管回収箱の１実施例を示す。箱体の素材としてポリプロピレンを採用する。その箱体のベースとなるプラスチック中空シートのブランク設計図を図４の左側に示す。図に示されるように幅７８２ｍｍ×長さ１６８１ｍｍのシートを長さ方向に６４５ｍｍ，３９１ｍｍ，６４５ｍｍと３区域に区分し、幅方向両側から区分間に切り込みを入れる。この６４５ｍｍという寸法は２０Ｗ直管の両端子間寸法から割り出した設計値である。切り込み幅は外側に３ｍｍ内側に２ｍｍの計５ｍｍ、切り込み深さは右側が１９５．５ｍｍ左側が１９２．５ｍｍと左側が３ｍｍほど深く切り込まれている。また、長さ方向両端部から４５ｍｍの位置に３０ｍｍ幅で幅方向深さ４３ｍｍで先端形状φ３０ｍｍの切欠けを四ヶ所に設ける。また、上記３区域の境界部は加熱して中空部をつぶし折り曲げ可能なヒンジ機能を持たせる。また、右側区域と中央区域の幅方向両端部から１９５．５ｍｍの位置即ち、前記切り込み深さの位置を加熱して中空部をつぶし折り曲げ可能なヒンジ機能を持たせる。更に左側区域にも幅方向両端部から１９２．５ｍｍの位置即ち、前記切り込み深さの位置を加熱して中空部をつぶし折り曲げ可能なヒンジ機能を持たせる。このブランク材とは別に図４の左下に図示したような幅４５２．５ｍｍ×長さ寸法３８７ｍｍのシートを２枚準備し、幅方向６０ｍｍ長さ方向１９３．５ｍｍの位置を中心として幅３０ｍｍ長さ８６ｍｍで幅両端はφ３０ｍｍの形状とする把手用の長孔を穿設する。これを外袖部材と呼ぶ。
切り込みと折り曲げ部によって３×３に区分されたブランク材は中央の３９１ｍｍ×３９１ｍｍの正方形領域に対し折り曲げ部をすべて紙面上方に９０°折り曲げる。折り曲げに際し重なり合う部分は図に示す区分符号でCaとCcが外側にLa，LcとRa，Rcがその内側に位置するように折る。このCaとCc部分の上側に乗っかる格好で前記外袖部材がLa，LcとRa，Rcと重なるように外側に当てられる。
【００１１】
図５の上段に示したブランク材は上段が底板と２枚の仕切板が一体形成された部材を示し、下段に示したものはこの実施例の蓋体のブランク材である。底板部となる正八角形は対向する辺間の距離が３６７ｍｍとされる。これは４０Ｗ環状管の外径寸法から割り出した設計値である。この正八角形の対向する１対の辺に幅１５８ｍｍ×長さ６３８ｍｍのシートがそれぞれ一体形成され、その境界部は加熱して中空部をつぶし折り曲げ可能なヒンジ機能を持たせてある。２枚の仕切板にはその先端から６０ｍｍ幅方向７９ｍｍの位置を中心として幅３０ｍｍ長さ９０ｍｍで幅両端はφ３０ｍｍの形状とする把手用の長孔を穿設する。また、正八角形の底板部には中央部に幅３ｍｍ長さ５５ｍｍの孔を１７１ｍｍ間隔で２対互いに直交する方向に穿設する。この４つの孔は四角柱を植設するための脚孔とするためのものである。下段に示す蓋体は３９８ｍｍ×４０５ｍｍの矩形の２つの長辺中央部に幅６８ｍｍ長さ２４５ｍｍの長方形を一体構造としたシートで、その境界部は加熱して中空部をつぶし折り曲げ可能なヒンジ機能を持たせてあるが、その正確な位置は境界線から３ｍｍだけ外側に寄った位置となっている。したがって、折り曲げ片の幅寸法は６５ｍｍとなる。箱本体に対し開口部を蓋として塞いだ状態を保つため、この実施例ではこの長方形折り曲げ片の幅方向２２．５ｍｍ長さ方向１２２．５ｍｍの位置を中心として２５ｍｍ×５０ｍｍのマジックテープを取り付けてある。
【００１２】
図６の左側に四角柱を構成するシートのブランクを、右側に箱体内で仕切板３ｂ(３ｄ)となるサイドパットのブランクを示す。四角柱は幅６４１ｍｍ×長さ７１１ｍｍの矩形に右側から１６７ｍｍ，１６９ｍｍ，１６９ｍｍ，１６６ｍｍそして４０ｍｍの位置を境界として５区域に区分し、その境界線上を加熱して中空部をつぶし折り曲げ可能なヒンジ機能を持たせる。右側４区域の幅方向一端側中央部に幅５５ｍｍ長さ１０５ｍｍの脚片を一体的に取り付け、その境界部は加熱して中空部をつぶし折り曲げ可能なヒンジ機能を持たせてあるが、その正確な位置は境界線から６ｍｍだけ外側に寄った位置となっている。これはこの部材が先の底板に植設されるに当たってこの脚片が底板の脚孔に通され折り曲げられる状態では底板の厚さ分を挟持する形態となるためである。また、５区域が境界線で９０度づつ折り曲げられて四角柱を作る際には、右端の４０ｍｍの区域は左端の１６７ｍｍの端部の内側となって重なり、この結果四角柱の外側各辺の長さが１６９ｍｍの正方形となるように設計されている。因みにこの四角柱の対角線の寸法は３２Ｗ環状管の内径寸法を基に設計された値である。
仕切板３ｂ(３ｄ)となるサイドパットは幅６１７ｍｍ×長さ６９７ｍｍの矩形形状で長さ方向左から２６５．５ｍｍ，１７０ｍｍ，２６１．５ｍｍの位置を境界として３区域に区分される。その境界線部分は加熱して中空部をつぶし折り曲げ可能なヒンジ機能を持たせる。左側区域の端部から１９２．５ｍｍ上辺から３５ｍｍの位置を中心として５５ｍｍ幅１２０ｍｍ長さの把手となる穴を穿設する。これは底板とは別体構造となる仕切板３ｂ，３ｄ用の部材で中央区域の１７０ｍｍ幅がその仕切板として機能する。
【００１３】
以上のブランク材が本発明の廃蛍光管用の回収箱の部材となる。組立は図４に示したブランク材で箱体が形成され、その内側に図６の右側に示した仕切板３ｂ，３ｄ用の部材が設置され、コーナー部分をコーナー部材で挟持するようにして固定すると概ね図１のＣに図示する形態となる。図において左上と右下のコーナーは中空シートが３枚重なった厚さに、また左下と右上のコーナーは中空シートが２枚重なった厚さとなっているので、それぞれを固定するコーナー部材は溝幅が異なって設計されている。図６の左側に示されたブランク材を折り曲げて四角柱を作りその脚片を図５の上段に示したブランク材の脚穴をとおして折り曲げて、概ね図１のＤに示した形態となる部材を図３に示すのと反対に押し下げて挿入する。すると概ね図１のＢに示した形態となる。この状態で３種類の廃蛍光管を収納することができる。すなわち、２０Ｗの直管は四隅のスペースと中央の四角柱内側スペースに、４つの仕切板と４つの箱体内壁の中央部で挟持されるように４０Ｗ環状管が、その内部スペース四角柱に外接する形態で３２Ｗ環状管がそれぞれ収納される。それぞれ所定個数が収納されたなら、図５の下段に示した蓋体を箱体開口部に被せ、長方形折り曲げ片に取り付けられているマジックテープで箱体の対峙する位置にやはり取り付けられているマジックテープと貼り合わされ、蓋体を保持する。
また、処理工場で空にされたこの回収箱は、所謂通い箱形風にコーナー部材を取り外し個々の部材に分解して、概ね図４乃至図６に示したブランク材のシート形態でコンパクトに畳んで返送することができる。
【産業上の利用可能性】
【００１４】
本発明の廃蛍光管回収箱は上記したように廃蛍光管の保管とリサイクル工場への運搬用に開発されたもので、この目的に添って産業上有効に利用されるものであるが、本発明はこれに限定されることなく、使用済みのものではなく新しい蛍光管についても企業や施設或いは地域社会の一括購入などの際にも、その運搬容器としても便利に使用することができる。
【図面の簡単な説明】
【００１５】
【図１】本発明の廃蛍光管回収箱の外観、内部構造、部分構造を説明する斜視図である。
【図２】本発明の廃蛍光管回収箱に直管と大型環状管そして小型環状管を収納した状態を示す図である。
【図３】本発明の廃蛍光管回収箱において環状管を取り出す動作を説明する図である。
【図４】箱本体を構成するブランク材の実施例を説明する図である。
【図５】底板と仕切板が一体構造となったブランク材と、蓋体のブランク材の実施例を説明する図である。
【図６】四角柱とサイドパットのブランク材の実施例を説明する図である。
【図７】現在使われている直管専用の縦置き型回収箱の例を示した図である。
【図８】現在使われている直管専用の横置き型回収箱の例を示した図である。
【図９】現在使われている環状管専用の回収箱の例を示した図である。
【符号の説明】
【００１６】
１  箱体
２  蓋体
３（3a，3b，3c，3d）  仕切板
４  四角柱
５  底板
６  コーナー部材
【図１】
2005075555.tif 000003
【図２】
2005075555.tif 000004
【図３】
2005075555.tif 000005
【図４】
2005075555.tif 000006
【図５】
2005075555.tif 000007
【図６】
2005075555.tif 000008
【図７】
2005075555.tif 000009
【図８】
2005075555.tif 000010
【図９】
2005075555.tif 000011